【手続補正書】
【提出日】平成16年11月25日(2004.11.25)
【手続補正１】
【補正対象書類名】明細書
【補正対象項目名】特許請求の範囲
【補正方法】変更
【補正の内容】
【特許請求の範囲】
【請求項１】  装置を動作させるためのエンジンを収納する携帯用通信装置のケースであって、前記ケースは、
露出領域を残して基板の特定領域に取り付けられた表層と、
前記表層に沿って外面を区画するハウジングと、
前記基板の露出領域を前記ハウジングに係合させる手段と、
を備えたことを特徴とするケース。
【請求項２】  請求項１に記載のケースにおいて、
前記表層と前記ハウジングとが互いに離隔して保持されていることを特徴とするケース。
【請求項３】  請求項１または２に記載のケースにおいて、
前記装置が、ディスプレイおよび／またはユーザ入力機構を有する操作面を備え、
前記表層が前記操作面となることを特徴とするケース。
【請求項４】  請求項１乃至３のいずれかに記載のケースにおいて、
前記表層は前記基板に接着されていることを特徴とするケース。
【請求項５】  請求項１乃至４のいずれかに記載のケースにおいて、
前記接着が紫外線硬化型接着剤によって行われることを特徴とするケース。
【請求項６】  請求項１乃至５のいずれかに記載のケースにおいて、
前記表層と前記ケースとの界面に、前記表層を囲むフレキシブルなガスケットを設けたことを特徴とするケース。
【請求項７】  請求項１乃至６のいずれかに記載のケースにおいて、
前記表層が比較的脆いことを特徴とするケース。
【請求項８】  請求項１乃至７のいずれかに記載のケースにおいて、
前記基板が比較的フレキシブルであることを特徴とするケース。
【請求項９】  請求項１乃至８のいずれかに記載のケースにおいて、
前記表層が貴石であることを特徴とするケース。
【請求項１０】  請求項１乃至９のいずれかに記載のケースにおいて、
前記表層がサファイアまたはダイアモンドまたはガラスからなることを特徴とするケース。
【請求項１１】  請求項１乃至１０のいずれかに記載のケースにおいて、
前記表層がセラミック材料からなることを特徴とするケース。
【請求項１２】  請求項１乃至１１のいずれかに記載のケースにおいて、
前記基板が光学的透過性を持つことを特徴とするケース。
【請求項１３】  請求項１乃至１２のいずれかに記載のケースにおいて、
前記光学的透明性を有する基板が導光板であることを特徴とするケース。
【請求項１４】  請求項１乃至１３のいずれかに記載のケースにおいて、
前記表層と前記基板とが光学的に同質であることを特徴とするケース。
【請求項１５】  請求項１乃至１４のいずれかに記載のケースにおいて、
前記表層と前記基板とが同色であることを特徴とするケース。
【請求項１６】  請求項１乃至１５のいずれかに記載のケースにおいて、
前記表層が、横方向の切れ目を施した状態で、基板上に分割切片状に配列されることを特徴とするケース。
【請求項１７】  請求項１６に記載のケースにおいて、
前記横方向の切れ目が、前記表層の横幅いっぱいに広がっていることを特徴とするケース。
【請求項１８】  請求項１６または１７に記載のケースにおいて、
前記横方向の切れ目が蝶番の働きをすることを特徴とするケース。
【請求項１９】  請求項１６乃至１８のいずれかに記載のケースにおいて、
前記横方向の切れ目が、ユーザ入力用に配列されたユーザ入力部材を取り付けられるように形成されていることを特徴とするケース。
【請求項２０】  請求項１乃至１９のいずれかに記載のケースにおいて、
前記基板が、前記基板をオーバーレイするハウジング部材と残りのハウジング部材との間に捕捉されることを特徴とするケース。
【請求項２１】  請求項２０に記載のケースにおいて、
所定の位置に保つために、前記オーバーレイ部分と前記残りのハウジング部材との間に前記基板がグリップされていることを特徴とするケース。
【請求項２２】  請求項２１に記載のケースにおいて、
前記オーバーレイ部分を前記ハウジングに引き付け、前記基板を捕捉するためのコネクタを有することを特徴とするケース。
【請求項２３】  請求項２２に記載のケースにおいて、
前記コネクタがねじを有することを特徴とするケース。
【請求項２４】  請求項２０乃至２３のいずれかに記載のケースにおいて、
前記基板をオーバーレイする前記ハウジング部材が、前記表層の端部を保護することを特徴とするケース。
【請求項２５】  請求項２０乃至２４のいずれかに記載のケースにおいて、
未加工の端部を隠すためのレールが、前記オーバーレイ部分と前記残りのハウジングとが一緒に締め付けられる際に、所定の位置に係合されることを特徴とするケース。
【請求項２６】  請求項２０乃至２５のいずれかに記載のケースにおいて、
前記オーバーレイ部分がベゼルであって、さらに、
前記ベゼルが、前記表層の前記露出した端部を保護するために前記表層を囲んでいることを特徴とするケース。
【請求項２７】  請求項１乃至２６のいずれかに記載のケースにおいて、
前記通信装置が無線電話機であることを特徴とするケース。
【請求項２８】  装置を動作させるためのエンジンを収納する携帯用通信装置のケースであって、前記ケースは、
ディスプレイとユーザ入力機構と端部とを有するフロント面と、
前記フロント面に沿って前記ケースの外面を区画するハウジング部材とを備え、
前記ハウジング部材は、前記フロント面の前記端部を補完する端部を有しており、さらに、
前記ハウジング部材と前記フロント面とは、前記ディスプレイおよび／または前記フロント面のユーザインターフェースを取り囲む前記フロント面の一部と、ほぼ連続的な平面を形成することを特徴とするケース。
【請求項２９】    請求項２８に記載のケースにおいて、
前記ハウジング部材の前記端部が前記フロント面の端部に広がっており、前記フロント面と前記ハウジング部材とが、前記ディスプレイおよび／または前記フロント面のユーザインターフェースと、ほぼ連続的な平面を形成することを特徴とするケース。
【請求項３０】  請求項２８または２９に記載のケースにおいて、
前記平面が曲線面であることを特徴とするケース。
【請求項３１】  請求項２８乃至３０のいずれかに記載のケースにおいて、
前記フロント面の前記端部がフランジを有しており、前記フランジが前記フロント面の周囲に広がることを特徴とするケース。
【請求項３２】 請求項２８乃至３１のいずれかに記載のケースにおいて、
前記ハウジング部材が、前記フロント面の端部に広がり、前記ケース内に前記フロント面を保持するように、前記フロント面の前記端部と係合する部分を有していることを特徴とするケース。
【請求項３３】 請求項３２に記載のケースにおいて、
前記フロント面を、前記フロント面をオーバーレイする前記ハウジング部材と他のハウジング部材との間にグリップして、定位置に保持することを特徴とするケース。
【請求項３４】 請求項３２または３３に記載のケースにおいて、
前記フロント面をオーバーレイする前記ハウジング部材を前記ハウジングに引き付け、前記フロント面を捕捉するコネクタを備えたことを特徴とするケース。
【請求項３５】 請求項３４に記載のケースにおいて、
前記コネクタが、ねじ山を有することを特徴とするケース。
【請求項３６】 請求項３２乃至３５のいずれかに記載のケースにおいて、
前記フロント面をオーバーレイする前記ハウジング部材が、前記フロント面の前記端部を保護することを特徴とするケース。
【請求項３７】 請求項２８乃至３６のいずれかに記載のケースにおいて、
前記ハウジング部材がベゼルであり、前記ベゼルが、前記フロント面の露出した端部を保護するために前記フロント面を取り囲んでいることを特徴とするケース。
【請求項３８】 請求項２８乃至３７のいずれかに記載のケースにおいて、
前記フロント面と前記ハウジングとが互いに離隔して保持されることを特徴とするケース。
【請求項３９】 装置を動作させるためのエンジンを収納する携帯用通信装置のケースであって、前記ケースは、
端部を有するフロント面と、
前記フロント面の端部に広がる部分を有するハウジング部材と、を備えており、
前記ハウジング部材は、前記フロント面の端部をオーバーレイする前記ハウジング部材の一部と前記フロント面とが互いにしっかりとくっつくよう一緒にプレスされる位置に固定されていることを特徴とするケース。
【請求項４０】 請求項３９に記載のケースにおいて、
前記フロント面が、ディスプレイおよび／またはユーザ入力機構を有する操作面であることを特徴とするケース。
【請求項４１】 請求項３９または４０に記載のケースにおいて、
前記フロント面と前記フロント面をオーバーレイする前記ハウジング部材との間の前記界面に、前記フロント面を取り囲むフレキシブルなガスケットを設けたことを特徴とするケース。
【請求項４２】 請求項２８乃至４１のいずれかに記載のケースにおいて、
前記フロント面が、基板の所定領域に取り付けられた表層を備えており、さらに、前記基板が前記フロント面の前記端部を形成する露出領域を残していることを特徴とするケース。
【請求項４３】 請求項４２に記載のケースにおいて、
前記表層が比較的脆いことを特徴とするケース。
【請求項４４】 請求項４２または４３に記載のケースにおいて、
前記基板が比較的フレキシブルであることを特徴とするケース。
【請求項４５】 請求項２８乃至４４のいずれかに記載のケースにおいて、
前記フロント面が貴石から製造されることを特徴とするケース。
【請求項４６】 請求項２８乃至４５のいずれかに記載のケースにおいて、
前記フロント面がサファイアまたはダイアモンドまたはガラスからなることを特徴とするケース。
【請求項４７】 請求項２８乃至４６のいずれかに記載のケースにおいて、
前記フロント面がセラミック材料からなることを特徴とするケース。
【請求項４８】 請求項２８乃至４７のいずれかに記載のケースにおいて、
前記通信装置が無線電話機であることを特徴とするケース。
【請求項４９】 携帯用通信装置のケースを作るためのハウジング部材であって、
前記ハウジング部材は、前記携帯用装置のフロント面の対応する端部に広がる部分を含み、
前記ハウジング部材は、前記フロント面の端部をオーバーレイする前記ハウジング部材の一部と前記フロント面とが互いにしっかりとくっつくよう一緒にプレスされる位置に前記ハウジング部材を固定する手段を有することを特徴とするハウジング部材。
【請求項５０】 請求項４９に記載のハウジング部材において、
前記ハウジング部材は、前記フロント面の端部を保護するために、前記フロント面を取り囲むベゼルであることを特徴とするハウジング部材。
【請求項５１】 携帯用通信装置のケースのためのハウジング部材であって、
前記ハウジング部材は、前記装置のフロント面の端部を補完する端部を含み、前記フロント面は、ディスプレイとユーザ入力機構と端部とを有し、さらに、前記ハウジング部材は、前記ディスプレイおよび／または前記フロント面のユーザインターフェースを取り囲む前記フロント面の一部とほぼ連続的な平面を形成し、前記ハウジング部材が、前記フロント面に沿って前記ケースの外面を区画することを特徴とするハウジング部材。
【請求項５２】 エンジンを収容する内部空間を区画する、ハンドヘルド通信装置用のケースであって、前記ケースは、個別に構成できるケース部材から作られ、複数のユーザ入力部材を有するユーザインタフェースを備えた操作面部材と、背面部材と、前記操作面と前記背面とを互いに離隔する側面部材とを含み、前記操作面部材と前記背面部材と前記側面部材とが前記装置の外面を規定することを特徴とするケース。